(57)【要約】  本発明は登山用ステッキに関するもので、簡単なタッチによって、多段で構成された支持管の長さを迅速で、且つ簡便調整し、ステッキをついた時、弾力的に荷重を支えることができるようにしたものである。本発明は直径が異なる支持管（１１）（１２）（１３）が結合されて、調節手段（３０）で長さが調節され、支持管（１１）（１２）（１３）には取っ手（２０）と支柱（４０）が結合された登山用ステッキ（１０）において、調節手段（３０）は第１支持管（１１）の下部に結合された固定管（３１）と、固定管（３１）に結合されて、スプリング（３３）で弾力的に支持される作動管（３２）と、外周面に係止溝（１２ａ）が形成された第２支持管（１２）が第１支持管（１１）に挿入されて昇降され、固定管（３１）の側面を貫通する結合孔（３１ｂ）が穿設されて、ストッパ用ボール（３１ａ）が挿入され、ボール（３１ａ）が作動管（３２）の内径に押されると、第２支持管（１２）の係止溝（１２ａ）にボール（３１ａ）が係止されて、第２支持管（１２）が第１支持管（１１）に固定され、作動管（３２）が上昇されてボール（３１ａ）が作動管（３２）の広い拡張溝（３２ａ）に位置されると、ボール（３１ａ）が第２支持管（１２）の係止溝（１２ａ）から離脱されて、第２支持管（１２）が第１支持管（１１）で昇降され、固定管（３１）にはスナップリング（３４）が結合されて作動管（３２）の離脱が防止されるようにした。
2015514536.tif 000002
【特許請求の範囲】
【請求項１】
直径が互いに異なる支持管（１１）（１２）（１３）が結合されて、調節手段（３０）で長さが伸縮調節され、支持管（１１）（１２）（１３）の上部及び下部には取っ手（２０）と支柱（４０）が結合された登山用ステッキ（１０）において、
前記調節手段（３０）は、
第１支持管（１１）の下部に結合された固定管（３１）と、固定管（３１）に結合されて、スプリング（３３）で弾力的に支持される作動管（３２）とで構成されて、外周面に係止溝（１２ａ）が所定間隔に形成された第２支持管（１２）が第１支持管（１１）の内部に挿入されて昇降され、前記固定管（３１）の下部には側面を貫通する結合孔（３１ｂ）が穿設されてストッパ用ボール（３１ａ）が挿入され、ボール（３１ａ）が作動管（３２）の内径に押されると、第２支持管（１２）の係止溝（１２ａ）にボール（３１ａ）が係止されて、第２支持管（１２）が第１支持管（１１）の内部に固定され、作動管（３２）が上昇されて、ボール（３１ａ）が作動管（３２）の下端の広い拡張溝（３２ａ）に位置されると、ボール（３１ａ）が第２支持管（１２）の係止溝（１２ａ）から離脱されて、第２支持管（１２）が第１支持管（１１）の内部で自由に昇降され、固定管（３１）の下端にはスナップリング（３４）が結合されて作動管（３２）の離脱が防止されるようにしたことを特徴とする登山用ステッキ。
【請求項２】
前記調節手段（３０）が第２支持管（１２）の下部にも結合されて、第２支持管（１２）に挿入された第３支持管（１３）の長さを調節することができるように構成したことを特徴とする請求項１に記載の登山用ステッキ。
【請求項３】
前記支柱（４０）は、
第３支持管（１３）の下部に結合固定される第１ガイド管（４１）と、
第１ガイド管（４１）に結合される第２ガイド管（４２）と、
第２ガイド管（４２）に結合される第３ガイド管（４３）と、で構成され、
第１ガイド管（４１）と第２ガイド管（４２）との間及び第２ガイド管（４２）と第３ガイド管（４３）との間にそれぞれ挿入されて、第１ガイド管（４１）を弾力的に支持する第１スプリング（４４ａ）及び第２スプリング（４４ｂ）で構成され、第３ガイド管（４３）の下部には超硬合金支持具（４５）が結合されたことを特徴とする請求項１に記載の登山用ステッキ。
【発明の詳細な説明】
【技術分野】
【０００１】
本発明は登山用ステッキに関するもので、より詳しくは、簡単なタッチによって多段で構成された支持管の長さを迅速で、且つ簡便に調節し、ステッキをついた時、弾力的に荷重を支えることができるようにした発明に関するものである。
【背景技術】
【０００２】
一般に、登山用ステッキは足に加えられる荷重の約３０％を分担して、体力の消耗を減少し、歩行の時、均衡を保持して、安定的な登山を保持するために用いられ、特に、下山の時には、膝に加えられる衝撃を效果的に緩和させることができることから、登山用ステッキは年齢に拘ることなく広く使われる登山装備の中の一つである。
【０００３】
上記登山用ステッキは、簡便に携帯するために、長さが調節される構成になっている。主に、ナット形態の締結具を回転させながら締めたり解いて、多段で構成された支持管の長さを伸縮調節することができるように構成されている。
【０００４】
しかし、従来の長さ調節用ステッキ（ｓｔｉｃｋ）はねじ結合された締結具を回転させて締め付けたり解いて伸縮調節ができるように構成されている。そのため、締結具を強く締め付けたり解く作業が煩雑で、相当時間がかかるとともに、締結具をしっかり締め付けない場合、加圧力に耐えずに支持管が内部に入ったり、部品が破損されるなどの問題が発生された。
【０００５】
また、登山用ステッキは、使用者がステッキをついた時、ステッキが曲がったり破損されない材質と耐久性を有するようになっており、主にステッキの中心から約１０ｍｍ離れた所で約４１ｋｇの力を１５秒間加えた時、ステッキが曲がれたり破損されたり、または変形が発生してはならないが、ステッキの材質によって抵抗性テストをパスすることができない製品が相当多い。
【０００６】
したがって、従来には製品の問題により支持管が入ったりステッキが曲がって変形されて、下山の時、重心を失って重大な事故を誘発するなどの問題が発生された。
【発明の開示】
【発明が解決しようとする課題】
【０００７】
本発明は上述した問題点に鑑みて創案されたもので、その目的は、簡単な作動により、ステッキの長さを迅速で、且つ簡便に調節し、弾力的に荷重を支えて、ステッキが曲がることを防止することができる高品質高機能性の登山用ステッキを提供することにある。
【課題を解決するための手段】
【０００８】
上述した目的を達するために、本発明の特徴は、直径が互いに異なる支持管１１、１２、１３が結合されて、調節手段３０で長さが伸縮調節され、支持管１１、１２、１３の上部及び下部には取っ手２０と支柱４０が結合された登山用ステッキ１０において、上記調節手段３０は、第１支持管１１の下部に結合された固定管３１と、固定管３１に結合されて、スプリング３３で弾力的に支持される作動管３２とで構成され、外周面に係止溝１２ａが所定間隔に形成された第２支持管１２が第１支持管１１の内部に挿入されて昇降され、上記固定管３１の下部には側面を貫通する結合孔３１ｂが穿孔されてストッパ用ボール３１ａが挿入され、ボール３１ａが作動管３２の内径に押されられると、第２支持管１２の係止溝１２ａにボール３１ａがかかれて、第２支持管１２が第１支持管１１の内部に固定され、作動管３２が上昇されてボール３１ａが作動管３２の下端の広い拡張溝３２ａに位置されると、ボール３１ａが第２支持管１２の係止溝１２ａから離脱されて、第２支持管１２が第１支持管１１の内部で自由に昇降され、固定管３１の下端にはスナップリング３４が結合されて、作動管３２の離脱が防止されるようにしたことを特徴とする登山用ステッキによって達成されることができる。
【発明の効果】
【０００９】
上述したような本発明は、調節手段３０の作動管３２を引っ張る簡単な作動により、第２支持管１２の長さを迅速で、且つ簡便に調節し、引っ張っていた作動管３２を離すことにより、長さの調節が完了された第１支持管１１及び第２支持管１２が堅固に固定されるので、長さの調節作業が簡単でありながらも使用の便宜性が増進される高品質高機能性の登山用ステッキを提供することができる。同時に支柱４０の第１スプリング４４ａ及び第２スプリング４４ｂで構成された２つのスプリングが荷重を分散させて支えることから、体の均衡を保持する支持力と緩衝力が相反作用を起こして、荷重を安定的に支えて重心を保持しながら衝撃を吸収し、ステッキの変形を防止して、安全な山行ができるなどの長所がある。
【図面の簡単な説明】
【００１０】
【図１】本発明による登山用ステッキの長さが長くなった状態を例示した正面図である。
【図２】本発明による登山用ステッキの長さが短くなった状態を例示した正面図である。
【図３ａ】本発明の作動状態を例示した一部拡大断面図である。
【図３ｂ】本発明の作動状態を例示した一部拡大断面図である。
【図４】本発明の一実施例を例示した分解斜視図である。
【発明を実施するための形態】
【００１１】
以下、上記した目的を達するための好ましい実施例を添付された図面によって詳しく説明すれば次の通りである。
【００１２】
図１〜図４に示したように、直径が互いに異なる支持管１１、１２、１３が結合されて、支持管１１、１２、１３が内部に挿入されると長さが短くなり、外に引き出されると長くなって、ステッキの全長が調節される。
【００１３】
上記支持管１１、１２、１３は調節手段３０によって長さが調節されることができるようになっており、支持管１１、１２、１３の上部及び下部には取っ手２０と支柱４０がそれぞれ結合されている。
【００１４】
前述した構成からなる登山用ステッキ１０は既に知られた公知技術思想である。
【００１５】
しかし、本発明において、最も重要な特徴は、上記作動管３２を簡単にタッチすれば支持管の長さが迅速で、且つ簡便に調節されるようにする調節手段３０の構成にある。
【００１６】
すなわち、上記調節手段３０は第１支持管１１の下部に結合された固定管３１と、固定管３１に結合されて、スプリング３３で弾力的に支持される作動管３２とで構成されている。
【００１７】
上記第１支持管１１の内部には第２支持管１２が挿入されて昇降され、第２支持管１２の外周面には係止溝１２ａが所定間隔で形成されている。
【００１８】
上記固定管３１の下部には側面を貫通する結合孔３１ｂが穿設され、結合孔３１ｂにはストッパ用ボール３１ａが挿入される。
【００１９】
上記ストッパ用ボール３１ａは結合孔３１ｂに挿入された状態で、ボール３１ａが作動管３２の内径に押されると、結合孔３１ｂで内部に突出されながら、第２支持管１２の係止溝１２ａにボール３１ａが係止されて、第２支持管１２が第１支持管１１の内部に挿入された状態で固定される。
【００２０】
上記作動管３２を引っ張って固定管３１で上昇されると、ボール３１ａが作動管３２の下端の広い拡張溝３２ａに位置されて自由な状態を保持するので、ボール３１ａが第２支持管１２の係止溝１２ａから離脱されて、第２支持管１２が第１支持管１１の内部で自由に昇降される。
【００２１】
上記固定管３１の下端にはスナップリング（ｓｎａｐ  ｒｉｎｇ）が結合されて、作動管３２が固定管３１の下部への離脱が防止され、固定管３１の上部には段差３１ｃが形成されて、作動管３２がスプリング３３で弾力的に支持された状態で、段差３１ｃとスナップリング３４との間を移動することができるように構成されている。
【００２２】
上述した構成からなる本発明は、図３ａに示したように、ストッパ用ボール３１ａが第２支持管１２の係止溝１２ａに結合されて、第１支持管１１の内部に第２支持管１２が固定された状態で、作動管３２を上へ引っ張ると、図３ｂに示したように、ボール３１ａが作動管３２の下端の広い拡張溝３２ａに位置されて、自由な状態を保持するので、第２支持管１２を自由に移動させて、所望の長さで作動管３２を離すと、スプリング３３の復元力によって作動管３２が下降されながら、ストッパ用ボール３１ａが作動管３２の内径に押されて、第２支持管１２の係止溝１２ａに係止されることによって、第２支持管１２が長さが調節された状態で固定される。
【００２３】
したがって、作動管３２を引っ張る簡単な作動によって、第２支持管１２の長さの調節が迅速で、且つ簡便に行われ、引っ張っていた作動管３２を離すと、長さが調節された第１支持管１１及び第２支持管１２が堅固に固定される。それによって、長さの調節作業が簡単ながらも使用の便宜性が増進される高品質高機能性の登山用ステッキを提供することができる。
【００２４】
また、ストッパ用ボール３１ａ、固定管３１、作動管３２、第１支持管１１及び第２支持管１２はステンレス金属で製作されて、一端ボール３１ａが第２支持管１２の係止溝１２ａに係止されると堅固に固定されて離脱が防止される、それにより、抵抗性テストの必要条件を満たして荷重を充分に支えることができるもので、従来の技術でステッキが支持管の内部に入ったり曲げられて変形されて、下山の時、重心を失って重大な事故を誘発するなどの諸問題点が完全に解消されて、対外競争力に優れた高機能性の登山用ステッキを具現することができるなどの利点がある。
【００２５】
一方、上記調節手段３０が第２支持管１２の下部にも結合されて、第２支持管１２に挿入された第３支持管１３の長さを調節することができるように構成することもできる。勿論、第３支持管１３にも係止溝１３ａが形成されて調節手段３０のボール３１ａが結合される。
【００２６】
この時には、２つの調節手段３０によって第２支持管１２及び第３支持管１３の長さを一緒に調節して、ステッキ１０の全長を幅広く調節することができ、ステッキの長さをかなり短く形成すれば携帯の便宜性を高めることができる。
【００２７】
上記支柱４０は、第３支持管１３の下部に結合固定される第１ガイド管４１と、第１ガイド管４１に結合される第２ガイド管４２と、第２ガイド管４２に結合される第３ガイド管４３とで構成され、第１ガイド管４１と第２ガイド管４２との間及び第２ガイド管４２と３ガイド管４３との間にそれぞれ挿入されて、第１ガイド管４１を弾力的に支持する第１スプリング４４ａ及び第２スプリング４４ｂで構成され、第３ガイド管４３の下部には超硬合金支持具４５が結合された構成からなっている。
【００２８】
上記第１ガイド管４１の下端にはスナップリング４６が結合されて、第２ガイド管４２が第１ガイド管４１の下部への離脱が防止されることができるように構成されている。
【００２９】
上述した構成は、第３支持管１３に固定された第１ガイド管４１が第１スプリング４４a第２スプリング４４ｂによって弾力的に支持されることによって、ステッキ１０をついた時加えられる荷重を弾力的に吸収して処理するので、ステッキ１０が曲がったり破損されたり変形が発生するなどの問題が防止されて、安全な山行ができる。
【００３０】
特に、第１スプリング４４ａ及び第２スプリング４４ｂで構成された２つのスプリングが荷重を分散させて支えることによって、ステッキ１０をついた時、体の均衡を保持する支持力と衝撃を吸収する緩衝力が相反して、高機能性のステッキを具現することができるもので、荷重を安定的に支えて重心を保持しながら衝撃を吸収し、ステッキの変形を防止して安全な山行ができる。
【００３１】
以上では、本発明の好ましい実施例について図示して説明したが、本発明は上述した実施例に限定されるのではなく、特許請求の範囲で請求する本発明の要旨を逸脱することなく、本発明が属する分野において通常の知識を有する者であれば誰でも多様な変形実施が可能であることは勿論、そのような変更は記載された特許請求の範囲内に属するものとすべきである。
【符号の説明】
【００３２】
１０：ステッキ
１１：第１支持管  
１２：第２支持管  
１２ａ、１３ａ：係止溝  
１３：第３支持管  
２０：取っ手
３０：調節手段  
３１：固定管  
３１ａ：ボール  
３１ｂ：結合孔  
３１ｃ：段差  
３２：作動管  
３２ａ：拡張溝  
３３、４４ａ、４４ｂ：スプリング  
３４、４６：スナップリング  
４０：支柱  
４１：第１ガイド管  
４２：第２ガイド管  
４３：第３ガイド管  
４５：支持具
【図１】
2015514536.tif 000003
【図２】
2015514536.tif 000004
【図３ａ】
2015514536.tif 000005
【図３ｂ】
2015514536.tif 000006
【図４】
2015514536.tif 000007
【国際調査報告】
2015514536.tif 000008
2015514536.tif 000009
2015514536.tif 000010
2015514536.tif 000011